(57)【要約】【課題】クライアント端末が印刷を実行する場合に、すぐに印刷ジョブをプリンタ端末に送信しないで、ユーザがプリンタ端末側に移動してから、クライアント端末が印刷ジョブを送信できる、機密性が高くユーザの利便性に優れた印刷システムを提供する。【解決手段】クライアント端末から電子メールを用いて印刷ジョブ用認証データを携帯端末に取得させ、携帯端末から認証装置に非接触でデータを取得させることで、印刷ジョブの所在情報を保存した記憶媒体のやり取り、そして記憶媒体の装着作業を不要とする。携帯端末から認証装置に非接触でデータを取得させる手段としては、印刷ジョブ用認証データを２次元バーコードデータとし、携帯端末の表示画面に表示された２次元バーコードを認証装置に備えられたバーコードリーダを用いて読み込ませる。【選択図】図１
2008192051.tif 000002
【特許請求の範囲】
【請求項１】
プリンタ端末と認証装置とクライアント端末とメールサーバと携帯端末とがネットワークで接続されるシステムであって、
前記クライアント端末は、
少なくとも印刷ジョブ情報とクライアント端末情報とを含む印刷ジョブ用認証データを生成する認証データ生成手段と、
前記印刷ジョブ用認証データを電子メールに添付して前記メールサーバを介して前記携帯端末に送信するメール送信手段と、
前記認証装置から、少なくとも印刷ジョブ情報とプリンタ端末情報とを受信する印刷指示データ受信手段と、
前記印刷指示データ受信手段にて取得した印刷ジョブ情報から特定された印刷ジョブを、前記プリンタ端末情報に対応するプリンタ端末に送信する印刷ジョブ送信手段と、を備え、
前記認証装置は、
前記プリンタ端末情報の設定手段と、
前記携帯端末から前記印刷ジョブ用認証データを取得し解析する手段と、
前記クライアント端末に対して少なくとも印刷ジョブ情報とプリンタ端末情報とを送信する印刷指示データ送信手段と、を備え、
前記認証装置が前記携帯端末から前記印刷ジョブ用認証データを取得した場合、前記クライアント端末から前記プリンタ端末に印刷ジョブが送信され、印刷が実行されることを特徴とするセキュリティ印刷システム。
【請求項２】
認証装置を内蔵したプリンタ端末とクライアント端末とメールサーバと携帯端末とがネットワークで接続されるシステムであって、
前記クライアント端末は、
少なくとも印刷ジョブ情報とクライアント端末情報とを含む印刷ジョブ用認証データを生成する認証データ生成手段と、
前記印刷ジョブ用認証データを電子メールに添付して前記メールサーバを介して前記携帯端末に送信するメール送信手段と、
前記認証装置から、少なくとも印刷ジョブ情報とプリンタ端末情報とを受信する印刷指示データ受信手段と、
前記印刷指示データ受信手段にて取得した印刷ジョブ情報から特定された印刷ジョブを、前記プリンタ端末情報に対応するプリンタ端末に送信する印刷ジョブ送信手段と、を備え、
前記認証装置は、
前記携帯端末から前記印刷ジョブ用認証データを取得し解析する手段と、
前記クライアント端末に対して少なくとも印刷ジョブ情報とプリンタ端末情報とを送信する印刷指示データ送信手段と、を備え、
前記認証装置が前記携帯端末から前記印刷ジョブ用認証データを取得した場合、前記クライアント端末から前記プリンタ端末に印刷ジョブが送信され、印刷が実行されることを特徴とするセキュリティ印刷システム。
【請求項３】
プリンタ端末とプリントサーバ機能を備えた認証装置とがローカルに接続され、当該認証装置とクライアント端末とメールサーバと携帯端末とがネットワークで接続されるシステムであって、
前記クライアント端末は、
少なくとも印刷ジョブ情報とクライアント端末情報とを含む印刷ジョブ用認証データを生成する認証データ生成手段と、
前記印刷ジョブ用認証データを電子メールに添付して前記メールサーバを介して前記携帯端末に送信するメール送信手段と、
前記認証装置から、少なくとも印刷ジョブ情報を受信する印刷指示データ受信手段と、
前記印刷指示データ受信手段にて取得した印刷ジョブ情報から特定された印刷ジョブを、前記認証装置に送信する印刷ジョブ送信手段と、を備え、
前記認証装置は、
前記携帯端末から前記印刷ジョブ用認証データを取得し解析する手段と、
前記クライアント端末に対して少なくとも印刷ジョブ情報を送信する印刷指示データ送信手段と、を備え、
前記認証装置が前記携帯端末から前記印刷ジョブ用認証データを取得した場合、前記クライアント端末から前記認証装置に印刷ジョブが送信され、前記認証装置のプリントサーバ機能によりローカル接続されたプリンタ端末から印刷が実行されることを特徴とするセキュリティ印刷システム。
【請求項４】
プリンタ端末とプリントサーバ機能を備えた認証装置とがローカルに接続され、当該認証装置とクライアント端末とメールサーバとスプールサーバと携帯端末とがネットワークで接続されるシステムであって、
前記クライアント端末は、
少なくとも印刷ジョブ情報とスプールサーバ識別情報とを含む印刷ジョブ用認証データを生成する認証データ生成手段と、
前記印刷ジョブ用認証データを電子メールに添付して前記メールサーバを介して前記携帯端末に送信するメール送信手段と、
前記スプールサーバに印刷ジョブを送信する印刷ジョブ送信手段と、を備え、
前記認証装置は、
前記携帯端末から前記印刷ジョブ用認証データを取得し解析する手段と、
前記スプールサーバから印刷ジョブを取得する印刷ジョブ取得手段と、を備え、
前記スプールサーバは、
前記認証装置から、少なくとも印刷ジョブ情報を受信する印刷ジョブ要求受信手段と、
前記印刷ジョブ要求受信手段にて取得した印刷ジョブ情報から特定された印刷ジョブを、前記認証装置に送信する印刷ジョブ送信手段と、を備え、
前記認証装置が前記携帯端末から前記印刷ジョブ用認証データを取得した場合、前記スプールサーバから前記認証装置に印刷ジョブが送信され、前記認証装置のプリントサーバ機能によりローカル接続されたプリンタ端末から印刷が実行されることを特徴とするセキュリティ印刷システム。
【請求項５】
前記スプールサーバがメールサーバの機能を有し、前記クライアント端末がスプールサーバに対して印刷ジョブを送信する前記印刷ジョブ送信手段、および／又は、前記認証装置がスプールサーバから印刷ジョブを取得する前記印刷ジョブ取得手段において、印刷ジョブデータの通信に電子メール転送プロトコルを用いることを特徴とする請求項４に記載のセキュリティ印刷システム。
【請求項６】
前記印刷ジョブ用認証データは２次元バーコードデータであり、
前記携帯端末から前記印刷ジョブ用認証データを取得し解析する手段は、携帯端末の表示画面に表示された２次元バーコードを前記認証装置に備えられたバーコードリーダを用いて読み込ませることであることを特徴する請求項１乃至５のいずれか１項に記載のセキュリティ印刷システム。
【請求項７】
前記携帯端末は、メール受信機能を備えた携帯電話であることを特徴とする請求項１乃至５のいずれか１項に記載のセキュリティ印刷システム。
【請求項８】
プリンタ端末と認証装置とクライアント端末とメールサーバと携帯端末とがネットワークで接続されるシステムを用いた印刷方法であって、
前記クライアント端末において、
少なくとも印刷ジョブ情報とクライアント端末情報とを含む印刷ジョブ用認証データを生成する認証データ生成ステップと、
前記印刷ジョブ用認証データを電子メールに添付して前記メールサーバを介して前記携帯端末に送信するメール送信ステップと、
前記認証装置から、少なくとも印刷ジョブ情報とプリンタ端末情報とを受信する印刷ジョブ情報受信ステップと、
前記印刷指示データ受信手段にて取得した印刷ジョブ情報から特定された印刷ジョブを、前記プリンタ端末情報に対応するプリンタ端末に送信する印刷ジョブ送信ステップと、を備え、
前記認証装置において、
前記プリンタ端末情報の設定ステップと、
前記携帯端末から前記印刷ジョブ用認証データを取得し解析するステップと、
前記クライアント端末に対して少なくとも印刷ジョブ情報とプリンタ端末情報とを送信する印刷指示データ送信ステップと、を備え、
前記認証装置が前記携帯端末から前記印刷ジョブ用認証データを取得した場合、前記クライアント端末から前記プリンタ端末に印刷ジョブが送信され、印刷が実行されることを特徴とするセキュリティ印刷方法。
【請求項９】
認証装置を内蔵したプリンタ端末とクライアント端末とメールサーバと携帯端末とがネットワークで接続されるシステムを用いた印刷方法であって、
前記クライアント端末において、
少なくとも印刷ジョブ情報とクライアント端末情報とを含む印刷ジョブ用認証データを生成する認証データ生成ステップと、
前記印刷ジョブ用認証データを電子メールに添付して前記メールサーバを介して前記携帯端末に送信するメール送信ステップと、
前記認証装置から、少なくとも印刷ジョブ情報とプリンタ端末情報とを受信する印刷ジョブ情報受信ステップと、
前記印刷指示データ受信手段にて取得した印刷ジョブ情報から特定された印刷ジョブを、前記プリンタ端末情報に対応するプリンタ端末に送信する印刷ジョブ送信ステップと、を備え、
前記認証装置において、
前記携帯端末から前記印刷ジョブ用認証データを取得し解析するステップと、
前記クライアント端末に対して少なくとも印刷ジョブ情報とプリンタ端末情報とを送信する印刷指示データ送信ステップと、を備え、
前記認証装置が前記携帯端末から前記印刷ジョブ用認証データを取得した場合、前記クライアント端末から前記プリンタ端末に印刷ジョブが送信され、印刷が実行されることを特徴とするセキュリティ印刷方法。
【請求項１０】
プリンタ端末とプリントサーバ機能を備えた認証装置とがローカルに接続され、当該認証装置とクライアント端末とメールサーバと携帯端末とがネットワークで接続されるシステムを用いた印刷方法であって、
前記クライアント端末において、
少なくとも印刷ジョブ情報とクライアント端末情報とを含む印刷ジョブ用認証データを生成する認証データ生成ステップと、
前記印刷ジョブ用認証データを電子メールに添付して前記メールサーバを介して前記携帯端末に送信するメール送信ステップと、
前記認証装置から、少なくとも印刷ジョブ情報を受信する印刷ジョブ情報受信ステップと、
前記印刷指示データ受信手段にて取得した印刷ジョブ情報から特定された印刷ジョブを、前記認証装置に送信する印刷ジョブ送信ステップと、を備え、
前記認証装置において、
前記携帯端末から前記印刷ジョブ用認証データを取得し解析するステップと、
前記クライアント端末に対して少なくとも印刷ジョブ情報を送信する印刷指示データ送信ステップと、を備え、
前記認証装置が前記携帯端末から前記印刷ジョブ用認証データを取得した場合、前記クライアント端末から前記認証装置に印刷ジョブが送信され、前記認証装置のプリントサーバ機能によりローカル接続されたプリンタ端末から印刷が実行されることを特徴とするセキュリティ印刷方法。
【請求項１１】
プリンタ端末とプリントサーバ機能を備えた認証装置とがローカルに接続され、当該認証装置とクライアント端末とメールサーバとスプールサーバと携帯端末とがネットワークで接続されるシステムを用いた印刷方法であって、
前記クライアント端末において、
少なくとも印刷ジョブ情報とスプールサーバ識別情報とを含む印刷ジョブ用認証データを生成する認証データ生成ステップと、
前記印刷ジョブ用認証データを電子メールに添付して前記メールサーバを介して前記携帯端末に送信するメール送信ステップと、
前記スプールサーバに印刷ジョブを送信する印刷ジョブ送信ステップと、を備え、
前記認証装置において、
前記携帯端末から前記印刷ジョブ用認証データを取得し解析するステップと、
前記スプールサーバから印刷ジョブを取得する印刷ジョブ取得ステップと、を備え、
前記スプールサーバにおいて、
前記認証装置から、少なくとも印刷ジョブ情報を受信する印刷ジョブ要求受信ステップと、
前記印刷ジョブ要求受信ステップにて取得した印刷ジョブ情報から特定された印刷ジョブを、前記認証装置に送信する印刷ジョブ送信ステップと、を備え、
前記認証装置が前記携帯端末から前記印刷ジョブ用認証データを取得した場合、前記スプールサーバから前記認証装置に印刷ジョブが送信され、前記認証装置のプリントサーバ機能によりローカル接続されたプリンタ端末から印刷が実行されることを特徴とするセキュリティ印刷方法。
【請求項１２】
前記スプールサーバがメールサーバの機能を有し、前記クライアント端末がスプールサーバに対して印刷ジョブを送信する前記印刷ジョブ送信手段、および／又は、前記認証装置がスプールサーバから印刷ジョブを取得する前記印刷ジョブ取得手段において、印刷ジョブデータの通信に電子メール転送プロトコルを用いることを特徴とする請求項４に記載のセキュリティ印刷方法。
【請求項１３】
前記印刷ジョブ用認証データは２次元バーコードデータであり、
前記携帯端末から前記印刷ジョブ用認証データを取得し解析するステップは、携帯端末の表示画面に表示された２次元バーコードを前記認証装置に備えられたバーコードリーダを用いて読み込ませることであることを特徴する請求項７乃至１０のいずれか１項に記載のセキュリティ印刷方法。
【請求項１４】
前記携帯端末は、メール受信機能を備えた携帯電話であることを特徴とする請求項７乃至１０のいずれか１項に記載のセキュリティ印刷方法。
【発明の詳細な説明】
【技術分野】
【０００１】
本発明は、携帯端末を使用したセキュリティ印刷システム並びにセキュリティ印刷方法に関する。
【背景技術】
【０００２】
従来、ネットワーク上のクライアント端末がプリンタ端末を共有するシステムにおいて、携帯端末を用いたセキュリティ印刷を行う技術が知られている（特許文献１）。これは、クライアント端末が印刷を実行する場合に、携帯端末にパスワードを送信し、プリンタ端末に電話番号とパスワードを付加した印刷ジョブを送信する。そして、ユーザがネットワーク上のプリンタ端末に移動して、携帯端末から電話番号とパスワードをプリンタ端末に送信し、プリンタ側で照合ができた場合に印刷が行われるというものである。
【０００３】
しかし、この携帯端末から電話番号とパスワードをプリンタ端末に送信してプリンタ側で照合するシステムでは、印刷ジョブがプリンタ端末に送信されてからユーザがプリンタ端末側へ移動するまでの間について、印刷ジョブがプリンタ端末内に保持された状態となることから機密性の問題がある。
また、印刷ジョブをプリンタ端末へ送信した後で、プリンタ端末にトラブルが発生した場合、印刷ジョブを再送信しなければならないといった問題がある。
さらに、プリンタ端末側で、電話番号とパスワードの照合機能が必要となる。
【０００４】
そこで、クライアント端末が印刷を実行する場合に、すぐに印刷ジョブをプリンタ端末に送信しないで、ユーザがプリンタ端末側に移動してから、クライアント端末が印刷ジョブを送信する技術が知られている（特許文献２）。
これは、クライアント端末が印刷を実行する場合に、その印刷ジョブの所在情報（クライアント端末のＩＰアドレスと印刷ジョブ番号）を携帯可能な記憶媒体に出力する。そして、ユーザがプリンタ端末側に移動して、プリンタ端末が記憶媒体から印刷ジョブの所在情報を取得すると共に、この印刷ジョブの所在情報より特定されるクライアント端末から印刷ジョブを受信するというものである。
このため、特許文献１に開示されている技術の如く、予め印刷ジョブをプリンタ端末に送信する場合と比べ、機密性を向上させることができる。
【０００５】
しかし、上記技術では、クライアント端末に携帯可能な記憶媒体を装着し、印刷ジョブの所在情報を当該携帯可能な記憶媒体に出力する必要がある。また、ユーザがその記憶媒体を持ち運んでプリンタ端末側に装着する必要がある。この装着作業はユーザにとって利便性があまり良くない。
また、クライアント端末で印刷操作する者と、プリンタ端末で印刷物を受け取る者が異なり、クライアント端末とプリンタ端末が別フロア・別建屋等の離散された場所に設置されているといった場合に、記憶媒体でやり取りするのは利便性が低く、現実的でない。
【０００６】
そこで、セキュリティを保つために、印刷を行った本人が印刷物を受け取るシステムとして、個人識別を行う非接触ＩＣカード等を使うシステムが開発されている。
これは、クライアント端末から印刷を実行した後に、プリンタ端末に内蔵された認証装置（認証装置がプリンタ端末と独立にネットワークに接続されている場合も同様）に、印刷を実行した印刷ジョブの所在情報（クライアント端末のＩＰアドレスと印刷ジョブ番号）とＩＣカード情報を通知する。認証装置は、認証装置内データベースに印刷ジョブの所在情報とＩＣカード情報を保存する。ユーザが認証装置に接続されているカードリーダに、非接触でＩＣカードの読込みをさせる。認証装置は認証装置内のデータベースを使用してクライアント端末を特定する。認証装置は、特定したクライアント端末に対して印刷先であるプリンタ端末と印刷ジョブの印刷開始を指示する。クライアント端末は、認証装置から指示されたプリンタ端末の情報を基づいて、プリンタ端末に対して印刷ジョブを送信するというものである。
【０００７】
しかしながら、上記の非接触ＩＣカード等を使うシステムの問題点は、認証装置内にデータベースがあることである。認証装置は、データベースの管理を行う必要があり、また、認証装置内にデータベースがあることで、ＩＣカード情報などのセキュリティ情報が認証装置に集中してしまうという問題もある。
さらに、クライアント端末側でも、予めクライアント端末にＩＣカード情報が必要となるため、カードリーダを使いＩＣカード情報を登録する必要があるなど煩雑な前準備が必要となる問題もある。
【０００８】
【特許文献１】特開２００２−１６３０９４号公報
【特許文献２】特開２００５−３２４４９７号公報
【発明の開示】
【発明が解決しようとする課題】
【０００９】
上述の問題点やニーズに対応すべく、本発明は、クライアント端末が印刷を実行する場合に、すぐに印刷ジョブをプリンタ端末に送信しないで、ユーザがプリンタ端末側に移動してから、クライアント端末が印刷ジョブを送信できるシステムを提供することを目的とする。
【００１０】
また、本発明は、クライアント端末側の使用者と、プリンタ端末側の印刷物受領者とが異なる場合に、利便性が向上するように、印刷ジョブの所在情報を保存した記憶媒体のやり取り、そして記憶媒体の装着作業が不要となるシステムを提供することを目的とする。
【００１１】
さらに、本発明は、プリンタ端末若しくは認証装置にデータベースを不要とし、セキュリティ情報の集中や漏洩を防ぐことができるシステムを提供することを目的とする。
【課題を解決するための手段】
【００１２】
上記目的を達成するため、本発明の第１の観点のセキュリティ印刷システムは、プリンタ端末と認証装置とクライアント端末とメールサーバと携帯端末とがネットワークで接続されるシステムであって、
１）クライアント端末は、
・少なくとも印刷ジョブ情報とクライアント端末情報とを含む印刷ジョブ用認証データを生成する認証データ生成手段と、
・印刷ジョブ用認証データを電子メールに添付してメールサーバを介して携帯端末に送信するメール送信手段と、
・認証装置から、少なくとも印刷ジョブ情報とプリンタ端末情報とを受信する印刷指示データ受信手段と、
・印刷指示データ受信手段にて取得した印刷ジョブ情報から特定された印刷ジョブを、プリンタ端末情報に対応するプリンタ端末に送信する印刷ジョブ送信手段と、を備え、
２）認証装置は、
・プリンタ端末情報の設定手段と、
・携帯端末から前記印刷ジョブ用認証データを取得し解析する手段と、
・クライアント端末に対して少なくとも印刷ジョブ情報とプリンタ端末情報とを送信する印刷指示データ送信手段と、を備えた構成とされ、
認証装置が携帯端末から印刷ジョブ用認証データを取得した場合、クライアント端末からプリンタ端末に印刷ジョブが送信され、印刷が実行されることを特徴とする。
【００１３】
本発明のセキュリティ印刷システムは、クライアント端末により印刷ジョブ情報とクライアント端末情報とを含む印刷ジョブ用認証データを生成し、その印刷ジョブ用認証データを電子メールに添付してメールサーバを介して携帯端末に送信する。
今や電子メールは、コンピュータネットワーク社会において最も利用されるコミュニケーション手段である。ＬＡＮやインターネット上のクライアント端末や携帯電話などの携帯端末の間で、電子メールを用いた情報のやり取りできる環境は容易に構築できるようになっている。
【００１４】
本発明は、この電子メールを用いて印刷ジョブ用認証データを携帯端末に取得させ、さらに、携帯端末から認証装置に非接触でデータを取得させることで、印刷ジョブの所在情報を保存した記憶媒体のやり取り、そして記憶媒体の装着作業が不要とする。また、本発明はプリンタ端末若しくは認証装置にデータベースを不要とし、セキュリティ情報の集中や漏洩を防ぐ。
【００１５】
クライアント端末が、認証装置から取得した印刷ジョブ情報から特定された印刷ジョブを、プリンタ端末情報に対応するプリンタ端末に送信することで、クライアント端末が印刷を実行する場合に、すぐに印刷ジョブをプリンタ端末に送信しないで、ユーザがプリンタ端末側に移動してから、クライアント端末が印刷ジョブを送信できることとなる。
【００１６】
また、クライアント端末側の使用者とプリンタ端末側の印刷物受領者とが異なる場合にも、以下に述べるように利便性が向上する。
すなわち、印刷ジョブ用認証データを電子メールに添付してメールサーバを介して携帯端末に送信することで、クライアント端末の使用者とプリンタ端末側の印刷物受領者の間で、印刷ジョブ用認証データを保存した記憶媒体のやり取りが不要となり、利便性が向上する。
例えば、印刷物受領者の所有する携帯端末に対して印刷ジョブ用認証データを添付して送信することで、印刷物受領者は、自由な時間に、また任意の場所に設置されているプリンタ端末で、携帯端末からプリンタ端末に印刷ジョブ用認証データを取得させて印刷物の受け取りが可能となるのである。
【００１７】
このことは、例えば、個人情報を含む印刷物（用紙は特定のものを使用）を、該個人に引き渡す際にも活用可能である。一例として、先ず情報管理会社から個人の携帯電話に対して印刷ジョブ用認証データをメールに添付して送信する。個人がコンビニエンスストアなどに設置されている認証装置に印刷ジョブ用認証データを送り、プリンタ端末から印刷物を受け取るのである。
【００１８】
次に、本発明の第２の観点のセキュリティ印刷システムは、認証装置を内蔵したプリンタ端末とクライアント端末とメールサーバと携帯端末とがネットワークで接続されるシステムであって、
１）クライアント端末は、
・少なくとも印刷ジョブ情報とクライアント端末情報とを含む印刷ジョブ用認証データを生成する認証データ生成手段と、
・印刷ジョブ用認証データを電子メールに添付してメールサーバを介して携帯端末に送信するメール送信手段と、
・認証装置から、少なくとも印刷ジョブ情報とプリンタ端末情報とを受信する印刷指示データ受信手段と、
・印刷指示データ受信手段にて取得した印刷ジョブ情報から特定された印刷ジョブを、プリンタ端末情報に対応するプリンタ端末に送信する印刷ジョブ送信手段と、を備え、
２）認証装置は、
・携帯端末から前記印刷ジョブ用認証データを取得し解析する手段と、
・クライアント端末に対して少なくとも印刷ジョブ情報とプリンタ端末情報とを送信する印刷指示データ送信手段と、を備えた構成とされ、
認証装置が携帯端末から印刷ジョブ用認証データを取得した場合、クライアント端末からプリンタ端末に印刷ジョブが送信され、印刷が実行されることを特徴とする。
【００１９】
本発明の第２の観点のセキュリティ印刷システムが第１の観点のセキュリティ印刷システムと異なる点は、認証装置がプリンタ端末に内蔵され一体化されていることである。プリンタ端末がネットワークに接続されており、認証装置が携帯端末から印刷ジョブ用認証データを取得した際、一体となっているプリンタ端末から印刷出力される。
認証装置がプリンタ端末と独立にネットワークに接続される第１の観点のセキュリティ印刷システムでは、特殊な装置である認証装置を共用化可能で、印刷出力させるプリンタ端末情報を任意に設定するのである。
【００２０】
また、本発明の第３の観点のセキュリティ印刷システムは、プリンタ端末とプリントサーバ機能を備えた認証装置とがローカルに接続され、当該認証装置とクライアント端末とメールサーバとがネットワークで接続されるシステムであって、
１）クライアント端末は、
・少なくとも印刷ジョブ情報とクライアント端末情報とを含む印刷ジョブ用認証データを生成する認証データ生成手段と、
・印刷ジョブ用認証データを電子メールに添付してメールサーバを介して携帯端末に送信するメール送信手段と、
・認証装置から、少なくとも印刷ジョブ情報を受信する印刷指示データ受信手段と、
・印刷指示データ受信手段にて取得した印刷ジョブ情報から特定された印刷ジョブを、認証装置に送信する印刷ジョブ送信手段と、を備え、
２）認証装置は、
・携帯端末から前記印刷ジョブ用認証データを取得し解析する手段と、
・クライアント端末に対して少なくとも印刷ジョブ情報を送信する印刷指示データ送信手段と、を備えた構成とされ、
認証装置が携帯端末から前記印刷ジョブ用認証データを取得した場合、クライアント端末から認証装置に印刷ジョブが送信され、認証装置のプリントサーバ機能によりローカル接続されたプリンタ端末から印刷が実行されることを特徴とする。
【００２１】
本発明の第３の観点のセキュリティ印刷システムが第１の観点や第２の観点のセキュリティ印刷システムと異なる点は、認証装置がプリンタ端末とローカルに接続されプリントサーバ機能を備えていることである。認証装置が携帯端末から印刷ジョブ用認証データを取得した場合、クライアント端末から認証装置に印刷ジョブが送信され、認証装置のプリントサーバ機能によりローカル接続されたプリンタ端末から印刷出力されることとなる。
【００２２】
また、本発明の第４の観点のセキュリティ印刷システムは、プリンタ端末とプリントサーバ機能を備えた認証装置とがローカルに接続され、当該認証装置とクライアント端末とメールサーバとスプールサーバと携帯端末とがネットワークで接続されるシステムであって、
１）クライアント端末は、
・少なくとも印刷ジョブ情報とスプールサーバ識別情報とを含む印刷ジョブ用認証データを生成する認証データ生成手段と、
・印刷ジョブ用認証データを電子メールに添付してメールサーバを介して携帯端末に送信するメール送信手段と、
・スプールサーバに印刷ジョブを送信する印刷ジョブ送信手段と、を備え、
２）認証装置は、
・携帯端末から前記印刷ジョブ用認証データを取得し解析する手段と、
・スプールサーバから印刷ジョブを取得する印刷ジョブ取得手段と、を備え、
３）スプールサーバは、
・認証装置から、少なくとも印刷ジョブ情報を受信する印刷ジョブ要求受信手段と、
・印刷ジョブ要求受信手段にて取得した印刷ジョブ情報から特定された印刷ジョブを、認証装置に送信する印刷ジョブ送信手段と、を備えた構成とされ、
認証装置が携帯端末から印刷ジョブ用認証データを取得した場合、スプールサーバから認証装置に印刷ジョブが送信され、認証装置のプリントサーバ機能によりローカル接続されたプリンタ端末から印刷が実行されることを特徴とする。
【００２３】
本発明の第４の観点のセキュリティ印刷システムは、本発明の第３の観点のセキュリティ印刷システムをイントラネット内のシステムから、インターネットを介したシステムに拡張するものである。スプールサーバを設け、クライアント端末から印刷ジョブをスプールサーバに送信することで、認証装置が印刷ジョブを取得することが可能となる。
ここで、認証装置におけるスプールサーバから印刷ジョブを取得する印刷ジョブ取得手段は、認証装置がスプールサーバに対して少なくとも印刷ジョブ情報を送信し、スプールサーバから印刷ジョブを受信することをいう。
【００２４】
本発明の第５の観点のセキュリティ印刷システムは、本発明の第４の観点のセキュリティ印刷システムにおけるスプールサーバがメールサーバの機能を有し、クライアント端末がスプールサーバに対して印刷ジョブを送信する印刷ジョブ送信手段、および／又は、認証装置がスプールサーバから印刷ジョブを取得する印刷ジョブ取得手段において、印刷ジョブデータの通信に電子メール転送プロトコルを用いることを特徴とする。
【００２５】
クライアント端末や認証装置が、スプールサーバとのデータ通信に電子メールを用いることで、クライアント端末、スプールサーバ、認証装置の間にファイアウォールが存在する場合にも印刷を行うことが可能となる。
ここで、電子メール転送プロトコルとは、具体的には、クライアント端末がスプールサーバに対して印刷ジョブを送信する場合には、印刷ジョブを添付ファイルとした電子メールがＳＭＴＰ（Simple Mail Transfer Protocol）プロトコルを用いてクライアント端末からスプールサーバに送信されるものであり、また、認証装置がスプールサーバから印刷ジョブを取得する場合には、印刷ジョブを添付ファイルとした電子メールがＰＯＰ（Post Office Protocol）プロトコルを用いてスプールサーバから認証装置に送信されるものである。
【００２６】
本発明の第６の観点のセキュリティ印刷システムは、上述の第１の観点から第５の観点のセキュリティ印刷システムにおいて、印刷ジョブ用認証データを２次元バーコードデータとし、携帯端末の表示画面に表示された２次元バーコードを認証装置に備えられたバーコードリーダを用いて読み込ませることである。印刷ジョブ用認証データを２次元バーコードデータとし、携帯端末の表示画面に表示された２次元バーコードを認証装置に備えられたバーコードリーダを用いて読み込ませることで、携帯端末から認証装置に非接触でデータを取得させることが可能となり利便性が向上する。
【００２７】
次に、上述の目的を達成する本発明のセキュリティ印刷方法について説明する。
本発明の第８の観点のセキュリティ印刷方法は、プリンタ端末と認証装置とクライアント端末とメールサーバと携帯端末とがネットワークで接続されるシステムを用いた印刷方法であって、
１）クライアント端末において、
・少なくとも印刷ジョブ情報とクライアント端末情報とを含む印刷ジョブ用認証データを生成する認証データ生成ステップと、
・印刷ジョブ用認証データを電子メールに添付してメールサーバを介して携帯端末に送信するメール送信ステップと、
・認証装置から、少なくとも印刷ジョブ情報とプリンタ端末情報とを受信する印刷ジョブ情報受信ステップと、
・印刷指示データ受信手段にて取得した印刷ジョブ情報から特定された印刷ジョブを、プリンタ端末情報に対応するプリンタ端末に送信する印刷ジョブ送信ステップと、を備え、
２）認証装置において、
・プリンタ端末情報の設定ステップと、
・携帯端末から印刷ジョブ用認証データを取得し解析するステップと、
・クライアント端末に対して少なくとも印刷ジョブ情報とプリンタ端末情報とを送信する印刷指示データ送信ステップと、を備え、
認証装置が携帯端末から印刷ジョブ用認証データを取得した場合、クライアント端末からプリンタ端末に印刷ジョブが送信され、印刷が実行されることを特徴とする。
【００２８】
また、本発明の第９の観点のセキュリティ印刷方法は、認証装置を内蔵したプリンタ端末とクライアント端末とメールサーバと携帯端末とがネットワークで接続されるシステムを用いた印刷方法であって、
１）クライアント端末において、
・少なくとも印刷ジョブ情報とクライアント端末情報とを含む印刷ジョブ用認証データを生成する認証データ生成ステップと、
・印刷ジョブ用認証データを電子メールに添付してメールサーバを介して携帯端末に送信するメール送信ステップと、
・認証装置から、少なくとも印刷ジョブ情報とプリンタ端末情報とを受信する印刷ジョブ情報受信ステップと、
・印刷指示データ受信手段にて取得した印刷ジョブ情報から特定された印刷ジョブを、プリンタ端末情報に対応するプリンタ端末に送信する印刷ジョブ送信ステップと、を備え、
２）認証装置において、
・携帯端末から印刷ジョブ用認証データを取得し解析するステップと、
・クライアント端末に対して少なくとも印刷ジョブ情報とプリンタ端末情報とを送信する印刷指示データ送信ステップと、を備え、
認証装置が携帯端末から印刷ジョブ用認証データを取得した場合、クライアント端末からプリンタ端末に印刷ジョブが送信され、印刷が実行されることを特徴とする。
【００２９】
また、本発明の第１０の観点のセキュリティ印刷方法は、プリンタ端末とプリントサーバ機能を備えた認証装置とがローカルに接続され、当該認証装置とプリントサーバ機能を備えた認証装置とクライアント端末とメールサーバと携帯端末とがネットワークで接続されるシステムを用いた印刷方法であって、
１）クライアント端末において、
・少なくとも印刷ジョブ情報とクライアント端末情報とを含む印刷ジョブ用認証データを生成する認証データ生成ステップと、
・印刷ジョブ用認証データを電子メールに添付してメールサーバを介して携帯端末に送信するメール送信ステップと、
・認証装置から、少なくとも印刷ジョブ情報を受信する印刷ジョブ情報受信ステップと、
・印刷指示データ受信手段にて取得した印刷ジョブ情報から特定された印刷ジョブを、認証装置に送信する印刷ジョブ送信ステップと、を備え、
２）認証装置において、
・携帯端末から印刷ジョブ用認証データを取得し解析するステップと、
・クライアント端末に対して少なくとも印刷ジョブ情報を送信する印刷指示データ送信ステップと、を備え、
認証装置が携帯端末から印刷ジョブ用認証データを取得した場合、クライアント端末から認証装置に印刷ジョブが送信され、認証装置のプリントサーバ機能によりローカル接続されたプリンタ端末から印刷が実行されることを特徴とする。
【００３０】
また、本発明の第１１の観点のセキュリティ印刷方法は、プリンタ端末とプリンタサーバ機能を備えた認証装置とがローカルに接続され、当該認証装置とクライアント端末とメールサーバとスプールサーバと携帯端末とがネットワークで接続されるシステムを用いた印刷方法であって、
１）クライアント端末において、
・少なくとも印刷ジョブ情報とスプールサーバ識別情報とを含む印刷ジョブ用認証データを生成する認証データ生成ステップと、
・印刷ジョブ用認証データを電子メールに添付してメールサーバを介して携帯端末に送信するメール送信ステップと、
・スプールサーバに印刷ジョブを送信する印刷ジョブ送信ステップと、を備え、
２）認証装置において、
・携帯端末から印刷ジョブ用認証データを取得し解析するステップと、
・スプールサーバから印刷ジョブを取得する印刷ジョブ取得ステップと、を備え、
３）スプールサーバにおいて、
・認証装置から、少なくとも印刷ジョブ情報を受信する印刷ジョブ要求受信ステップと、
・印刷ジョブ要求受信ステップにて取得した印刷ジョブ情報から特定された印刷ジョブを、認証装置に送信する印刷ジョブ送信ステップと、を備え、
認証装置が携帯端末から印刷ジョブ用認証データを取得した場合、スプールサーバから認証装置に印刷ジョブが送信され、認証装置のプリントサーバ機能によりローカル接続されたプリンタ端末から印刷が実行されることを特徴とする。
【００３１】
本発明の第１２の観点のセキュリティ印刷方法は、本発明の第１１の観点のセキュリティ印刷方法におけるスプールサーバがメールサーバの機能を有し、クライアント端末がスプールサーバに対して印刷ジョブを送信する印刷ジョブ送信手段、および／又は、認証装置がスプールサーバから印刷ジョブを取得する印刷ジョブ取得手段において、印刷ジョブデータの通信に電子メール転送プロトコルを用いることを特徴とする。
【００３２】
本発明の第１３の観点のセキュリティ印刷方法は、上述の第８の観点から第１２の観点のセキュリティ印刷方法において、印刷ジョブ用認証データは２次元バーコードデータであり、携帯端末から印刷ジョブ用認証データを取得し解析するステップは、携帯端末の表示画面に表示された２次元バーコードを認証装置に備えられたバーコードリーダを用いて読み込ませることであることを特徴する。
【発明の効果】
【００３３】
本発明のセキュリティ印刷システムによれば、クライアント端末が印刷を実行する場合に、すぐに印刷ジョブをプリンタ端末に送信しないで、ユーザがプリンタ端末側に移動してから、クライアント端末が印刷ジョブを送信できるため、機密性が高い印刷システムを提供できる。
また、クライアント端末側の使用者とプリンタ端末側の印刷物受領者とが異なる場合に、印刷ジョブの所在情報を保存した記憶媒体のやり取り、そして記憶媒体の装着作業が不要とできるため、利便性が高い印刷システムを提供できる。
さらに、プリンタ端末若しくは認証装置にデータベースを不要とし、セキュリティ情報の集中化や誤り等のヒューマンエラーのリスクを低減できるといった効果がある。
【発明を実施するための最良の形態】
【００３４】
以下、本発明のセキュリティ印刷システムの実施形態について、図面を参照しながら詳細に説明していく。ただし、本発明の範囲は、図示例に限定されるものではない。
【実施例１】
【００３５】
図１は、実施例１のセキュリティ印刷システムの概略システム構成図を示している。実施例１のセキュリティ印刷システムは、図１に示されるように、プリンタ端末３と認証装置２とクライアント端末１とメールサーバ５がＬＡＮ（Local Area Network）等のネットワーク７で接続された構成となっている。また、携帯端末４として携帯電話がシステムの構成要素になっている。
実施例１のセキュリティ印刷システムの処理フローについて、図１に示される（１）〜（５）のフローの順に説明を行う。
【００３６】
（１）処理１
クライアント端末１で印刷を指示したとき、クライアント端末１は、携帯端末４のメールアドレスを宛先とした電子メールを作成し、当該電子メールに印刷ジョブ用認証データ（クライアント端末情報および印刷ジョブ情報）を添付して、メールサーバ５へ送信する。電子メールの送信にはＳＭＴＰ（Simple Mail Transfer Protocol）を使用する。
ここで、クライアント端末情報としては、ホスト名、ＩＰアドレス、ＬＡＮＩ／ＦのＭＡＣ（Media Access Control）アドレス等、ネットワーク上に接続されたクライアント端末を識別可能な情報を１又は複数組み合わせて使用する。また、印刷ジョブ情報としては、印刷ジョブ名、印刷ジョブＩＤ等、印刷ジョブを一意に特定可能な情報を１又は複数組み合わせて使用する。
なお、電子メールの添付データとしては、かかる印刷ジョブ用認証データを２次元バーコードにデータ変換したものを用いる。
また、クライアント端末１で生成された印刷ジョブはクライアント端末にて保持される。
【００３７】
（２）処理２
次に、メールサーバ５は、上記処理１のメール送信先（携帯端末４）に対して電子メールを転送する。
【００３８】
（３）処理３
携帯端末４のユーザは、上記処理２で送られた電子メールに添付されている２次元バーコードを携帯端末４の画面に表示させ、プリンタ端末３近辺の認証装置２のバーコードリーダを用いて、当該２次元バーコードを認証装置２に読み取らせる。
【００３９】
（４）処理４
認証装置２は、上記処理３で取得した印刷ジョブ用認証データ（クライアント端末情報および印刷ジョブ情報）を利用して、印刷開始を要求するクライアント端末１を特定する。そして、印刷指示データ（印刷ジョブ情報およびプリンタ端末情報）を当該特定されたクライアント端末１に通知する。図１ではプリンタ端末３が印刷出力するプリンタになるので、プリンタ端末３のプリンタ端末情報が送信される。ここでプリンタ端末情報としては、プリンタ名、ＩＰアドレス等、ネットワーク上に接続されたプリンタ端末を識別可能な情報を１又は複数組み合わせて使用する。
【００４０】
（５）処理５
印刷を行うクライアント端末１は、上記処理４で認証装置２から送信された印刷指示データ（印刷ジョブ情報およびプリンタ端末情報）を基にして、プリンタ端末３に送るべき印刷ジョブを特定し、プリンタ端末３に対して印刷ジョブを送信する。なお、印刷ジョブの送信にはＬＰＲ（Line PRinter daemon protocol）等の印刷プロトコルを使用する。
【００４１】
これにより、プリンタ端末３から印刷ジョブに係る印刷物が出力される。上述の（１）〜（５）の処理動作により、プリンタ端末３近辺にいるユーザはプリンタ出力される印刷結果を他人に見られることなく回収することができ、機密性の向上が図ることができる。
また、ユーザ個々の情報を、ユーザ個々が持っている携帯電話に転送し、ユーザ個々が持ち歩くことで認証装置２内にユーザが使用するクライアント端末や印刷ジョブ情報等の情報を記憶しておく必要がなくなる。これにより、従来のＩＣカード等を用いたセキュリティ印刷システムのように、認証装置２内にデータベースを設ける必要がなくなる。
このことにより、認証装置２が盗難されることによるユーザ個人情報の流出(カード情報流出など)を防ぐことが可能となる。
【００４２】
この他、操作性の面においては、クライアント端末側の事前準備もポートモニタに対応するメールアドレス入力程度となり、クライアント端末を使用するユーザの負担も軽減されることになる。
【００４３】
さらに、上記処理４で出力先のプリンタ端末３の識別情報（プリンタ端末情報）を認証装置２からクライアント端末１に送る処理を入れているので、同種のプリンタ端末であれば、クライアント端末１で印刷を行った後に出力先のプリンタ端末を任意に選択することも可能になる。印刷を行いたいプリンタ端末に対応する認証装置に対して、携帯端末からバーコードデータを読み込ませることで、該プリンタ端末に印刷物を出力させることができるのである。
【００４４】
また、異種のプリンタ端末の場合でも、クライアント端末１で印刷を行った後に出力先のプリンタ端末を任意に選択することも可能である。この場合は、印刷の対象として印刷ジョブを特定せず、クライアント端末に記憶されている印刷対象のファイル（文書ファイルや画像ファイルなど）を特定して、それをプリンタ端末で受信し印刷するものとする。
印刷対象のファイルを受信したプリンタ端末側で印刷ジョブ生成を行なったり、プリンタ端末により実行可能な印刷ジョブの生成をクライアント端末へ指示し、この指示に伴って生成された印刷ジョブを受信するものとすればよい。
これにより、実行可能な印刷ジョブが異なる異種のプリンタ端末の場合でも、本セキュリティ印刷システムを利用して、クライアント端末１で印刷を行った後に出力先のプリンタ端末を任意に選択することが可能となる。
【００４５】
次に、本実施例１の構成とされたセキュリティ印刷システムについて、その概要を図２〜図６を参照して詳細に説明する。
【００４６】
図２は、クライアント端末の機能ブロック図を示している。クライアント端末１は、一般的なパーソナルコンピュータであり、オペレーティングシステム（ＯＳ）として、Ｗｉｎｄｏｗｓ（登録商標）ＸＰが稼動しているものとする。アプリケーション１Ａは、文書処理や画像処理等のプログラムである。ユーザは、アプリケーション１Ａを操作して印刷を指示する。プリンタドライバ１Ｂは、印刷対象となるデータをプリンタにて出力可能な形式（ＰＤＬ等）へと変換するためのプログラムである。ネットワーク通信部１ＦはＴＣＰ／ＩＰモジュールであり、ネットワーク送受信の基本的な処理を行う。
【００４７】
ポートモニタ１Ｃは、印刷ジョブ制御部１１Ｃ、メール送信部１２Ｃ、バーコード生成部１３Ｃ、設定領域部１４Ｃで構成される。印刷ジョブ制御部１１Ｃは、プリンタドライバ１Ｂから与えられた印刷ジョブを印刷ジョブ格納領域１２Ｄに格納すると共に当該印刷ジョブの情報を管理テーブル１１Ｄに追記する。メール送信部１２Ｃは、ＳＭＴＰクライアントの機能を有し、電子メールの作成および送信を管理する。バーコード生成部１３Ｃは、印刷ジョブ用認証データを二次元バーコードへと変換する。設定領域部１４Ｃには携帯端末４のメールアドレスが設定されている。
【００４８】
印刷ジョブスプール領域１Ｄは、クライアント端末１で印刷ジョブを保持しておくための記憶領域である。管理テーブル１１Ｄは、印刷ジョブ格納領域１２Ｄに格納された印刷ジョブの情報を記憶するテーブルである。印刷ジョブ格納領域１２Ｄは、印刷ジョブを格納するための記憶領域であり、クライアント端末１のＨＤＤ（Hard Disk Drive）、ＲＡＭ（Random Access Memory）等に設けられる。
【００４９】
印刷サービス１Ｅは、印刷指示データ受信部１１Ｅと印刷ジョブ送信部１２Ｅで構成される。印刷指示データ受信部１１Ｅは、認証装置２から受信した印刷指示データに含まれる情報や指示を印刷ジョブ送信部１２Ｅへ与える。印刷ジョブ送信部１２Ｅは、印刷ジョブのプリンタ端末３への送信処理を管理する。
【００５０】
図３は管理テーブルの一例である。印刷ジョブＩＤ（００１，００２，００３）は、印刷ジョブ格納領域１２Ｄに格納された印刷ジョブに一意に付与される識別情報である。印刷ジョブ名（ｔｅｓｔ１．ｄｏｃ等）は、印刷ジョブの名称である。
【００５１】
図４は認証装置２の機能ブロック図である。バーコードリーダ３１は、ＵＳＢＩ／Ｆを経由して認証装置と接続されている。ここで、バーコードリーダ３１は二次元バーコードリーダを例とする。バーコード読出部２Ｅは、当該バーコードリーダ３１で取得された二次元バーコードを取り込む。バーコード解析部２Ｄは、二次元バーコードを解析し印刷ジョブ用認証データを取得する。
【００５２】
また、ネットワーク通信部２Ａは、ＴＣＰ／ＩＰモジュールであり、ネットワーク送受信の基本的な処理を行う。出力先プリンタ設定領域部２Ｂは、クライアント端末１が印刷ジョブを送信すべきプリンタ端末情報を登録する。ユーザは、認証装置２の操作表示パネル等のユーザＩ／Ｆ３７から、若しくはネットワーク上の管理コンピュータ（図示せず）から、出力先プリンタ設定領域部２Ｂのプリンタ端末情報を設定することができる。印刷指示データ送信部２Ｃは、印刷ジョブ情報とプリンタ端末情報とをクライアント端末１に送信する。
【００５３】
また、出力先プリンタ設定領域部２Ｂにはプリンタ端末情報に加えて印刷設定情報を登録することができる。印刷設定情報とは、クライアント端末が印刷ジョブを送信するときの印刷プロトコル（ＬＰＲ、ＲＡＷ等）や印刷ポート（ｌｐ等）を設定するための情報である。印刷設定情報を登録するか否かは任意であり本発明が用いられる環境によって適宜判断すればよい。
【００５４】
図６は認証装置のハードウェア構成図である。認証装置２は、その動作を制御するＣＰＵ３２と、ＣＰＵ３２が実行時に参照するプログラムやデータが一時的に記憶されるＲＡＭ３４と、ＣＰＵ３２が実行するための所定のプログラムを格納しているＲＯＭ３３と、ＬＡＮ等のネットワーク７とデータを送受信するための通信Ｉ／Ｆ３６と、バーコードリーダ３１とデータを送受信するためのＵＳＢＩ／Ｆ３８と、操作表示パネル等のユーザＩ／Ｆ３７と、これらを接続するバスライン３５とを備えている。
【００５５】
システム全体の処理フローを図５に示している。以下、図５の処理フローに従って順番に説明していく。先ず、クライアント端末１では印刷ジョブ情報および印刷ジョブを生成する動作について図２〜図３，図５を参照して説明する。その後、メールサーバ５、携帯端末４の動作を説明し、その後、認証装置２について図４と図６を参照して説明する。そして、再びクライアント端末１の動作を説明する。
【００５６】
（クライアント端末の動作）
先ず、クライアント端末１のユーザは文書処理や画像処理等のアプリケーション１Ａから印刷を指示する。クライアント端末１が印刷指示を受けると、プリンタドライバ１Ｂは、印刷データをプリンタ出力可能な形式（ＰＤＬ等）へと変換し、印刷ジョブとしてポートモニタ１Ｃへ与える。
【００５７】
ポートモニタ１Ｃの印刷ジョブ制御部１１Ｃは、プリンタドライバ１Ｂから与えられた印刷ジョブを印刷ジョブ格納領域１２Ｄに格納するとともに、管理テーブル１１Ｄに情報（印刷ジョブＩＤと印刷ジョブ名）を追記する。
【００５８】
また、ポートモニタ１Ｃのメール送信部１２Ｃは、印刷ジョブ用認証データを生成する。印刷ジョブ用認証データにはクライアント端末情報と印刷ジョブ情報が含まれており、クライアント端末情報としては、クライアント端末のＩＰアドレス、ホスト名等が該当し、印刷ジョブ情報としては、印刷ジョブＩＤ、印刷ジョブ名等が該当する。実際にはこれらの情報を適宜組み合わせて印刷ジョブ用認証データを生成すればよい。以下の説明では、印刷ジョブ用認証データとして、クライアント端末のＩＰアドレス、印刷ジョブＩＤを利用するものとする。
【００５９】
ポートモニタ１Ｃのバーコード生成部１３Ｃは、印刷ジョブ用認証データ（クライアント端末のＩＰアドレス、印刷ジョブＩＤ）を二次元バーコードに変換する（図６のステップＳ０１）。
【００６０】
メール送信部１２Ｃは、設定領域部１４Ｃから携帯端末４（図１に図示）のメールアドレスを取得する。そして、携帯端末４のメールアドレスを宛先とした電子メールに当該二次元バーコードを添付し、メールサーバ５（図１に図示）に送信する。具体的には、メール送信部１２Ｃは当該電子メールをネットワーク通信部１Ｆへ与え、ネットワーク通信部１Ｆはメールサーバ５とのネットワーク接続を確立し送信処理を行う（図６のステップＳ０２）。
ここで、バーコード生成部１３Ｃが認証データ生成手段に相当し、メール送信部１２Ｃがメール送信手段に相当する。
【００６１】
なお、本実施例では、セキュリティ印刷システムの運用をスムーズにするため、事前準備として、ポートモニタ１Ｃの設定領域部１４Ｃに携帯端末４のメールアドレスを登録しておいた。ユーザの入力負担が軽減できるとともに、誤入力によるメール送信ミスを回避することができるからである。また別の方法として、印刷指示を行うごとにユーザがメールアドレスを入力するように構成してもよい。
【００６２】
（メールサーバの動作）
クライアント端末１から電子メールを受信したメールサーバ５は、送信先メールアドレスの携帯端末４に向けて、電子メールを送信する（図６のステップＳ０３）。
【００６３】
（携帯端末の動作）
携帯端末４は二次元バーコードが添付された電子メールを受信する。携帯端末４のユーザは、二次元バーコードを携帯端末の画面に表示し、認証装置２のバーコードリーダに読み取らせる（図６のステップＳ０４）。
【００６４】
（認証装置の動作）
図４に示される認証装置２のバーコード読出部２Ｅは、バーコードリーダ３１から、携帯端末４の画面上の二次元バーコードを取得し、バーコード解析部２Ｄに与える。バーコード解析部２Ｄは、二次元バーコードを解析し、印刷ジョブ用認証データを取り出す（図６のステップＳ０５）。このバーコードリーダ３１とバーコード読出部２Ｅとバーコード解析部２Ｄが、携帯端末から印刷ジョブ用認証データを取得し解析する手段に相当する。
【００６５】
そして、取り出した印刷ジョブ用認証データ（クライアント端末のＩＰアドレス、印刷ジョブＩＤ）を印刷指示データ送信部２Ｃへと与える。印刷指示データ送信部２Ｃは、かかる印刷ジョブ用認証データと出力先プリンタ設定領域部２Ｂにある登録情報とを適宜組み合わせて印刷指示データを生成する。出力先プリンタ設定領域部２Ｂにある登録情報は、プリンタ端末情報（ＩＰアドレス、プリンタ名等）および印刷設定情報（印刷プロトコル、印刷ポート等）である。印刷設定情報の登録は任意でありユーザの判断により登録しなくてもよい。以下の説明では、印刷指示データには、印刷ジョブ用認証データ（クライアント端末のＩＰアドレス、印刷ジョブＩＤ）、プリンタ端末情報（プリンタのＩＰアドレス）、印刷設定情報（印刷プロトコルとしてＬＰＲ設定、印刷ポートとしてｌｐ設定）が含まれるものとする。そして、印刷ジョブ用認証データから送信先のクライアント端末を特定し、印刷指示データを、ネットワーク通信部２Ａを経由して送信する（図６のステップＳ０６）。この印刷指示データ送信部２Ｃが、印刷指示データ送信手段に相当する。また、出力先プリンタ設定領域部２Ｂがプリンタ端末情報の設定手段に相当する。
【００６６】
（クライアント端末の動作）
クライアント端末１の印刷指示データ受信部１１Ｅは、ネットワーク通信部１Ｆを経由して印刷指示データを受信する。印刷指示データ受信部１１Ｅは、印刷指示データに含まれる印刷ジョブＩＤ、プリンタ端末情報、印刷設定情報などを印刷ジョブ送信部１２Ｅへ伝える。印刷ジョブ送信部１２Ｅは、当該印刷ジョブＩＤと一致する印刷ジョブを、管理テーブル１１Ｄを用いて検索する。一致する印刷ジョブがあれば、印刷ジョブ送信部１２Ｅは、当該印刷ジョブを印刷ジョブ格納領域１２Ｄから取得する。
【００６７】
印刷ジョブ送信部１２Ｅは、プリンタ端末情報から送信すべきプリンタを特定する。また、印刷指示データの中に印刷設定情報が含まれていれば、かかる指示に従い、印刷ジョブの送信を行う。
この場合、印刷設定情報が含まれており、印刷プロトコルでＬＰＲ、印刷ポートｌｐが指示されているので、印刷ジョブ送信部１２Ｅは、印刷ジョブをＬＰＲの手順に従ってｌｐに対して送信する。具体的には、印刷ジョブ送信部１２Ｅは印刷ジョブをネットワーク通信部１Ｆへ与え、ネットワーク通信部１Ｆは、送信先のプリンタ端末３とのネットワーク接続を確立し、当該印刷ジョブを送信する。（図６のステップＳ０８）。
ここで、印刷指示データ受信部１１Ｅが印刷指示データ受信手段に相当し、印刷ジョブ送信部１２Ｅが印刷ジョブ送信手段に相当する。
【００６８】
（プリンタ端末の動作）
プリンタ端末３は、クライアント端末１から印刷ジョブを受信し印刷出力する。
【実施例２】
【００６９】
次に、実施例２のセキュリティ印刷システムについて説明する。図７は、実施例２のセキュリティ印刷システムの概略システム構成図を示している。実施例２のセキュリティ印刷システムは、図７に示されるように、認証装置２を内蔵したプリンタ端末３とクライアント端末１とメールサーバ５がＬＡＮ等のネットワーク７で接続された構成となっている。また、携帯端末４として携帯電話がシステムの構成要素になっている。次に、実施例２の処理について以下説明する。特に、実施例１と異なる処理のところに重点をおいて説明する。
【００７０】
（１）処理１
実施例１と同様、クライアント端末１で印刷を指示したとき、クライアント端末１は携帯端末４のメールアドレスを宛先とした電子メールを作成し、当該電子メールに印刷ジョブ用認証データ（クライアント端末情報および印刷ジョブ情報）を添付して、メールサーバ５へ送信する。電子メールの添付データとしては、実施例１と同様、かかる印刷ジョブ用認証データを２次元バーコードにデータ変換したものを用いる。また、クライアント端末１で生成された印刷ジョブはクライアント端末にて保持される。
【００７１】
（２）処理２
実施例１と同様、メールサーバ５は、上記処理１のメール送信先（携帯端末４）に対して電子メールを転送する。
【００７２】
（３）処理３
携帯端末４のユーザは印刷を実行させたいプリンタ端末３に移動し、上記処理２で送られた電子メールに添付されている２次元バーコードを携帯端末４の画面に表示させ、プリンタ端末３に内蔵された認証装置２のバーコードリーダを用いて、当該２次元バーコードを認証装置２に読み取らせる。
【００７３】
（４）処理４
認証装置２は、上記処理３で取得した印刷ジョブ用認証データ（クライアント端末情報および印刷ジョブ情報）を利用して、印刷開始を要求するクライアント端末１を特定し、印刷指示データ（印刷ジョブ情報）を当該クライアント端末１に伝える。ここで、プリンタ端末情報を送信しない点が、実施例１と異なる。
【００７４】
（５）処理５
実施例１と同様、印刷を行うクライアント端末１は、上記処理４で認証装置２から送信された印刷指示データ（印刷ジョブ情報）を基にして、プリンタ端末３に送るべき印刷ジョブを特定し、プリンタ端末３に対して印刷ジョブを送信する。
【実施例３】
【００７５】
次に、実施例３のセキュリティ印刷システムについて説明する。図８は、実施例３のセキュリティ印刷システムの概略システム構成図を示している。実施例３のセキュリティ印刷システムは、図８に示されるように、プリンタ端末３と周辺ケーブル９を介してローカルに接続されプリントサーバ機能を備えた認証装置２とクライアント端末１とメールサーバ５がＬＡＮ等のネットワーク７で接続された構成となっている。また、携帯端末４として携帯電話がシステムの構成要素になっている。次に、実施例３の処理について以下説明する。特に、実施例１と異なる処理のところに重点をおいて説明する。
【００７６】
（１）処理１
実施例１と同様、クライアント端末１で印刷を指示したとき、クライアント端末１は携帯端末４のメールアドレスを宛先とした電子メールを作成し、当該電子メールに印刷ジョブ用認証データ（クライアント端末情報および印刷ジョブ情報）を添付して、メールサーバ５へ送信する。電子メールの添付データとしては、実施例１と同様、かかる印刷ジョブ用認証データを２次元バーコードにデータ変換したものを用いる。また、クライアント端末１で生成された印刷ジョブはクライアント端末にて保持される。
【００７７】
（２）処理２
実施例１と同様、メールサーバ５は、上記処理１のメール送信先（携帯端末４）に対して電子メールを転送する。
【００７８】
（３）処理３
携帯端末４のユーザは印刷を実行させたいプリンタ端末３に接続されている認証装置２に移動し、上記処理２で送られた電子メールに添付されている２次元バーコードを携帯端末４の画面に表示させ、認証装置２のバーコードリーダを用いて、当該２次元バーコードを認証装置２に読み取らせる。
【００７９】
（４）処理４
認証装置２は、上記処理３で取得した印刷ジョブ用認証データ（クライアント端末情報および印刷ジョブ情報）を利用して、印刷開始を要求するクライアント端末１を特定し、印刷指示データ（印刷ジョブ情報）を当該クライアント端末１に伝える。
【００８０】
（５）処理５
実施例１と同様、印刷を行うクライアント端末１は、上記処理４で認証装置２から送信された印刷指示データ（印刷ジョブ情報）を基にして、認証装置２に送るべき印刷ジョブを特定し、認証装置２に対して印刷ジョブを送信する。認証装置２が印刷ジョブを受信すると、認証装置２にローカル接続されたプリンタ端末３に印刷ジョブを送る。プリンタ端末３で印刷が実行される。
【実施例４】
【００８１】
図９は、実施例４のセキュリティ印刷システムの概略システム構成図を示している。実施例４のセキュリティ印刷システムは、図９に示されるように、プリンタ端末３とローカルに接続されプリントサーバ機能を備えた認証装置２が、インターネット７Ｃおよびファイアウォール（Ｆｉｒｅｗａｌｌ）１０を介してクライアント端末１とメールサーバ５とスプールサーバ６とに接続された構成となっている。また、携帯端末４として携帯電話がシステムの構成要素になっている。
以下に、実施例４のセキュリティ印刷システムの処理フローについて、図９に示される（１）〜（４）のフローの順に説明を行う。
【００８２】
（１）処理１
クライアント端末１で印刷を指示したとき、クライアント端末１は携帯端末４のメールアドレスを宛先とした電子メールを作成し、当該電子メールに印刷ジョブ用認証データ（スプールサーバ識別情報および印刷ジョブ情報）を添付して、メールサーバ５へ送信する。
【００８３】
ここで、スプールサーバ識別情報としては、ホスト名、ＩＰアドレス、ＵＲＬ（Uniform Resource Locator）、ＬＡＮＩ／ＦのＭＡＣアドレス等、ネットワーク上に接続されたスプールサーバを識別可能な情報を１又は複数組み合わせて使用する。
また、電子メールの添付データとしては、かかる印刷ジョブ用認証データを２次元バーコードにデータ変換したものを用いる。
また、クライアント端末１は、スプールサーバ６に対して、印刷ジョブを送信する。このスプールサーバ６に対して印刷ジョブを送信する処理が完了することで、クライアント端末１の電源をＯＦＦにしても構わない。
【００８４】
（２）処理２
次に、メールサーバ５は、上記処理１のメール送信先（携帯端末４）に対して電子メールを転送する。
【００８５】
（３）処理３
携帯端末４のユーザは、上記処理２で送られた電子メールに添付されている２次元バーコードを携帯端末４の画面に表示させ、プリンタ端末３がローカルに接続されている認証装置２のバーコードリーダを用いて、２次元バーコードを認証装置２に読み取らせる。
【００８６】
（４）処理４
認証装置２は、上記処理３で取得した印刷ジョブ用認証データ（スプールサーバ識別情報、印刷ジョブ情報）を利用して、印刷開始を要求するスプールサーバ６を特定し、印刷ジョブの取得を行う。このスプールサーバ６と認証装置２の通信は、電子メールを用いることにより、スプールサーバ６と認証装置２の間にファイアウォール（Ｆｉｒｅｗａｌｌ）１０が存在する場合においても通信を行うことが可能となる。
【００８７】
認証装置２は、上記処理４で取得した印刷ジョブを、ローカルに接続されたプリンタ端末３に送る。これにより、プリンタ端末３から印刷ジョブに係る印刷物が出力される。プリンタ端末３近辺にいるユーザはプリンタ出力される印刷結果を他人に見られることなく回収することができ、機密性の向上が図ることができる。
また、ユーザ個々の情報を、ユーザ個々が持っている携帯電話に転送し、ユーザ個々が持ち歩くことで認証装置２内にユーザが使用するクライアント端末やジョブ情報等の情報を記憶しておく必要がなくなる。これにより、従来のＩＣカード等を用いたセキュリティ印刷システムのように、認証装置２の内にデータベースを設ける必要がなくなる。
このことにより、認証装置２が盗難されることによるユーザ個人情報の流出(カード情報流出など)を防ぐことが可能となる。
【００８８】
この他、操作性の面においては、クライアント端末側の事前準備もポートモニタに対応するメールアドレス入力程度となり、クライアント端末を使用するユーザの負担も軽減されることになる。
【００８９】
次に、本実施例４の構成とされたセキュリティ印刷システムについて、その動作を図１０〜図１４を参照して詳細に説明する。
【００９０】
図１０は、実施例４のクライアント端末の機能ブロック図を示している。ポートモニタ１Ｃは、印刷ジョブ送信部１５Ｃ、メール送信部１２Ｃ、バーコード生成部１３Ｃ、設定領域部１４Ｃで構成される。このうち、印刷ジョブ送信部１５Ｃと設定領域部１４Ｃが実施例１とは異なる。印刷ジョブ送信部１５Ｃは、ＳＭＴＰクライアントの機能を有し、クライアント端末情報および印刷ジョブ情報を記載した電子メールを作成するとともに当該作成した電子メールに印刷ジョブを添付してスプールサーバに送信する。設定領域部１４Ｃは、携帯端末４のメールアドレスとスプールサーバ識別情報を記憶している。スプールサーバ識別情報は、スプールサーバのＩＰアドレス、ホスト名等のネットワーク上に接続されたスプールサーバを識別するための情報である。
【００９１】
なお、実施例４においては印刷ジョブをクライアント端末１にて保持しないため印刷ジョブスプール領域と印刷指示データ受信部は必要としない。上記以外の構成は実施例１と同様である。
【００９２】
図１１は実施例４の認証装置の機能ブロック図である。実施例４の認証装置２は、プリントサーバ機能を有しておりプリンタ端末３と接続されている。印刷ジョブ取得部４２はＰＯＰクライアント機能を有し、スプールサーバに格納された電子メールを取得する。プリンタコントロール部４１はプリンタ端末３への印刷ジョブの送信処理を管理する。上記以外の構成は実施例１と同様である。
【００９３】
図１２は実施例４のスプールサーバの機能ブロック図である。実施例４のスプールサーバ６はメールサーバの機能を有している。電子メール管理部４４は電子メール格納領域４５に格納される電子メールの処理（電子メールの管理、電子メールの書込み、電子メールの読出し）を行う。電子メール格納領域４５は、電子メールを格納するための記憶領域であり、スプールサーバ６のＨＤＤ、ＲＡＭ等に設けられる。ネットワーク通信部４３はＴＣＰ／ＩＰモジュールであり、ネットワーク送受信の基本的な処理を行う。
【００９４】
システム全体の処理フローを図１３に示している。以下では、図１３の処理フローに従って順に説明を行う。先ず、クライアント端末１側で印刷ジョブ情報および印刷ジョブを生成する動作について図１０と図１３を参照して説明する。その後、メールサーバ５、携帯端末４の動作を説明し、その後、認証装置２について図１１を参照して説明する。その後、スプールサーバ６について図１２を参照して説明する。
【００９５】
（クライアント端末の動作）
先ず、クライアント端末１のユーザは文書処理や画像処理等のアプリケーション１Ａから印刷を指示する。クライアント端末１が印刷指示を受けると、プリンタドライバ１Ｂは、印刷データをプリンタ出力可能な形式（ＰＤＬ等）へと変換し、印刷ジョブとしてポートモニタ１Ｃへ与える。
【００９６】
ポートモニタ１Ｃの印刷ジョブ送信部１５Ｃは、設定領域部１４Ｃからスプールサーバ６の識別情報（ＩＰアドレス、ホスト名等）を取得し、印刷ジョブを送信すべきスプールサーバを特定する。そして、電子メールにクライアント端末情報および印刷ジョブＩＤを記載の上、印刷ジョブを添付し、スプールサーバ６へ送信する（図１３のステップＳ０２）。具体的には、印刷ジョブ送信部１５Ｃは当該電子メールをネットワーク通信部１Ｆへ与え、ネットワーク通信部１Ｆはメールサーバ６とのネットワーク接続を確立し送信処理を行う。
【００９７】
一方、バーコード生成部１３Ｃは、印刷ジョブ用認証データ（クライアント端末情報、印刷ジョブＩＤ、スプールサーバ識別情報）を二次元バーコードに変換する（図１３のステップＳ０１）。
【００９８】
メール送信部１２Ｃは、設定領域部１４Ｃから携帯端末４（図９に図示）のメールアドレスを取得する。そして、携帯端末４のメールアドレスを宛先とした電子メールに当該二次元バーコードを添付してメールサーバ５に送信する。具体的には、メール送信部１２Ｃは当該電子メールをネットワーク通信部１Ｆへ与え、ネットワーク通信部１Ｆはメールサーバ５とのネットワーク接続を確立し送信処理を行う。（図１３のステップＳ０３）。
ここで、バーコード生成部１３Ｃが認証データ生成手段に相当し、メール送信部１２Ｃがメール送信手段に相当し、印刷ジョブ送信部１５Ｃが印刷ジョブ送信手段に相当する。
【００９９】
実施例４では、認証装置２からスプールサーバ６を特定することが必要になるので、メール送信部１２Ｃから送信される印刷ジョブ用認証データにはスプールサーバ識別情報が追加されている。
【０１００】
なお、セキュリティ印刷システムの運用をスムーズにするため、事前準備として、ポートモニタ１Ｃの設定領域部１４Ｃに携帯端末４のメールアドレスを登録しておいた。ユーザの入力負担が軽減できるとともに、誤入力によるメール送信ミスを回避することができるからである。また別の方法として、印刷指示を行うごとにユーザがクライアント端末からメールアドレスを入力するように構成してもよい。
【０１０１】
（メールサーバの動作）
クライアント端末１から電子メールを受信したメールサーバ５は、送信先メールアドレスの携帯端末４に向けて、電子メールを送信する（図１３のステップＳ０４）。
【０１０２】
（携帯端末の動作）
携帯端末４は二次元バーコードが添付された電子メールを受信する。携帯端末４のユーザは、二次元バーコードを携帯端末４の画面に表示し、認証装置２のバーコードリーダに読み取らせる（図１３のステップＳ０５）。
【０１０３】
（認証装置の動作）
次に、認証装置２の動作について説明する。図１１に認証装置の機能ブロック図を示す。また、図１４に認証装置のハードウェア構成図を示す。
図１１に示される認証装置２のバーコード読出部２Ｅは、バーコードリーダ３１から、携帯端末４の画面上の二次元バーコードを取得し、バーコード解析部２Ｄに与える。バーコード解析部２Ｄは、二次元バーコードを解析し、印刷ジョブ用認証データを取り出す（図１３のステップＳ０６）。このバーコードリーダ３１とバーコード読出部２Ｅとバーコード解析部２Ｄが、携帯端末から前記印刷ジョブ用認証データを取得し解析する手段に相当する。
【０１０４】
そして、取り出した印刷ジョブ用認証データ（クライアント端末情報、印刷ジョブＩＤ、スプールサーバ識別情報）を印刷ジョブ取得部４２へと与える。印刷ジョブ取得部４２は、スプールサーバ識別情報からスプールサーバ６を特定し、当該スプールサーバ６に対して、印刷ジョブの取得処理を行う。印刷ジョブ用認証データには、クライアント端末情報と印刷ジョブＩＤが含まれているので、これらの情報が記載された電子メールをスプールサーバから取得する。具体的には、印刷ジョブ取得部４２は、スプールサーバ６に対して、ＰＯＰ（Post Office Protocol）プロトコルを用いて、当該クライアント端末情報と印刷ジョブＩＤが記載された電子メールの取得要求を行う（図１３のステップＳ０７）。
【０１０５】
なお、印刷ジョブ取得要求は、印刷ジョブ取得部４２からネットワーク通信部２Ａを経由してスプールサーバ６に送信される。
この印刷ジョブ取得部４２が、印刷ジョブ取得手段に相当する。
【０１０６】
（スプールサーバの動作）
次に、スプールサーバの動作について図１２を参照して説明する。
スプールサーバ６の電子メール管理部４４は、ネットワーク通信部４３を経由して電子メールを受信し、電子メール格納領域４５に格納する。
【０１０７】
スプールサーバ６の電子メール管理部４４は、ネットワーク通信部４３経由で認証装置２から印刷ジョブ取得要求を受信する。印刷ジョブ取得要求にはクライアント端末情報と印刷ジョブＩＤが含まれているので、これらの情報から電子メールを検索し、送信すべき電子メールを特定する（図１３のステップＳ０８）。
【０１０８】
電子メール管理部４４は、電子メールを認証装置２に送信する。具体的には印刷ジョブを添付した電子メールが電子メール管理部４４からネットワーク通信部４３を経由して認証装置２に送信される（図１５のステップＳ０９）。ここで、電子メール管理部４４が印刷ジョブ要求受信手段および印刷ジョブ送信手段に相当する。
【０１０９】
認証装置２の印刷ジョブ取得部４２は、電子メールを受信し、添付された印刷ジョブを取り出してプリンタコントロール部４１へ与える。プリンタコントロール部４１は、周辺ケーブル９を介してローカル接続されているプリンタ端末３に印刷ジョブを転送する（図１３のステップＳ１０）。
【０１１０】
（プリンタ端末の動作）
プリンタ端末３は、印刷ジョブを印刷出力する。
【０１１１】
実施例４においてはインターネットを経由する場合を説明したが、本実施例の適用は必ずしもインターネットに限定されるものではない。本実施例はインターネットを経由するシステムだけでなく、インターネットを経由しないシステム（ＬＡＮ）においても適用可能である。
【０１１２】
以上、本発明を実施するための最良の形態について実施例１〜４を用いて説明したが、本発明はこうした実施例になんら限定されるものではなく、本発明の要旨を逸脱しない範囲内において、さまざまな形態で実施し得る。
【産業上の利用可能性】
【０１１３】
本発明のセキュリティ印刷システムは、一般公衆に安全・確実に個人情報等が記載された印刷物を渡すことができるので、コンビニエンスストアなど特定店舗に設置されている認証装置とプリンタ端末を利用することで、インターネットを経由した安全・確実な印刷サービスを提供することができる。
【図面の簡単な説明】
【０１１４】
【図１】実施例１のセキュリティ印刷システムの概略システム構成図
【図２】クライアント端末の機能ブロック図
【図３】クライアント端末が保持する管理テーブルの一例
【図４】認証装置の機能ブロック図
【図５】実施例１のセキュリティ印刷システムの処理フロー図
【図６】認証装置のハードウェア構成図
【図７】実施例２のセキュリティ印刷システムの概略システム構成図
【図８】実施例３のセキュリティ印刷システムの概略システム構成図
【図９】実施例４のセキュリティ印刷システムの概略システム構成図
【図１０】実施例４のクライアント端末の機能ブロック図
【図１１】実施例４の認証装置の機能ブロック図
【図１２】実施例４のスプールサーバの機能ブロック図
【図１３】実施例４のセキュリティ印刷システムの処理フロー図
【図１４】実施例４の認証装置のハードウェア構成図
【符号の説明】
【０１１５】
１  クライアント端末
２  認証装置
３  プリンタ端末
４  携帯端末
５  メールサーバ
６  スプールサーバ
７  ネットワーク
７ａ，７ｂ  イントラネット
７ｃ  インターネット
９  周辺ケーブル
１０  ファイアウォール（ＦｉｒｅＷａｌｌ）
【図２】
2008192051.tif 000003
【図３】
2008192051.tif 000004
【図４】
2008192051.tif 000005
【図５】
2008192051.tif 000006
【図６】
2008192051.tif 000007
【図１０】
2008192051.tif 000008
【図１２】
2008192051.tif 000009
【図１３】
2008192051.tif 000010
【図１】
2008192051.tif 000011
【図７】
2008192051.tif 000012
【図８】
2008192051.tif 000013
【図９】
2008192051.tif 000014
【図１１】
2008192051.tif 000015
【図１４】
2008192051.tif 000016